(57)【特許請求の範囲】
【請求項１】
第１サイド（ｆｉｒｓｔ  ｓｉｄｅ）及び第２サイド（ｓｅｃｏｎｄ  ｓｉｄｅ）を含むフレーム部材（ｆｒａｍｅｍｅｍｂｅｒ）であって、
前記フレーム部材は、第１、第２、第３及び第４壁部位（ｗａｌｌ  ｐｏｒｔｉｏｎｓ）を有する全体として四角リング状（ｒｅｃｔａｎｇｕｌａｒ  ｒｉｎｇ−ｓｈａｐｅｄ）の周壁（ｐｅｒｉｐｈｅｒａｌ  ｗａｌｌ）を含み、前記第１及び第２壁部位は、実質的に互いに平行であり、互いに離隔しており、前記第３及び第４壁部位は、実質的に互いに平行であり、互いに離隔しており、
前記フレーム部材は、第１及び第２壁部位間に連結されている中央プレート（ｃｅｎｔｒａｌ  ｐｌａｔｅ）を含んでおり、前記中央プレートは、中央プレートと第３壁部位との間に第１空間（ｆｉｒｓｔ  ｓｐａｃｅ）を設定し、前記中央プレートはまた、中央プレートと第４壁部位との間に第２空間を設定し、
前記フレーム部材は、第３壁部位と中央プレートとの間に連結されていて両側に側縁部（ｏｐｐｏｓｉｔｅ  ｅｄｇｅｓ）を有している第１支持部材（ｆｉｒｓｔ  ｓｕｐｐｏｒｔ  ｍｅｍｂｅｒ）を含んでおり、前記第１支持部材の第１壁部位側には、前記第１支持部材の一方の側縁部に隣接する第１ギャップが形成され、前記第１支持部材の第２壁部位側には、前記第１支持部材の他方の側縁部に隣接する第２ギャップが形成されるようになっている、フレーム部材と、
前記フレーム部材の第１サイド上で第１支持部材に連結されている第１電気的相互接続部材（ｆｉｒｓｔ  ｅｌｅｃｔｒｉｃａｌ  ｉｎｔｅｒｃｏｎｎｅｃｔ  ｍｅｍｂｅｒ）であって、前記第１電気的相互接続部材は、第１ギャップ（ｆｉｒｓｔ  ｇａｐ）を通して延びている第１電池セルの第１電気端子に電気的に接続されるように構成されており、中央プレート（ｃｅｎｔｒａｌ  ｐｌａｔｅ）内の第１開口（ｆｉｒｓｔ  ａｐｅｒｔｕｒｅ）を通して延びている第１電圧センシングタブ（ｆｉｒｓｔ  ｖｏｌｔａｇｅ  ｓｅｎｓｉｎｇ  ｔａｂ）を含む第１電気的相互接続部材と、
前記中央プレートから延びている少なくとも一つの連結タブ上でフレーム部材の第２サイドに隣接して配置されている回路ボード（ｃｉｒｃｕｉｔ  ｂｏａｒｄ）であって、前記回路ボードは、互いに反対側を向いた第１及び第２サイドを含んでおり、前記回路ボードの前記第１サイドは、前記中央プレートに隣接して配置されている、回路ボードと、
前記回路ボード上に配置されており、前記中央プレートの第２開口（ｓｅｃｏｎｄ  ａｐｅｒｔｕｒｅ）を通して延びている電気コネクタ（ｅｌｅｃｔｒｉｃａｌ  ｃｏｎｎｅｃｔｏｒ）であって、前記回路ボードが、第１電圧センシングタブ（ｆｉｒｓｔ  ｖｏｌｔａｇｅ  ｓｅｎｓｉｎｇ  ｔａｂ）と電気コネクタとの間に接続された第１電気トレース（ｆｉｒｓｔ  ｅｌｅｃｔｒｉｃａｌ  ｔｒａｃｅ）を含んでいる電気コネクタと、
前記回路ボードの第２サイドと接合されており、それを覆うカプセル化部位（ｅｎｃａｐｓｕｌａｔｉｏｎ  ｐｏｒｔｉｏｎ）と、
を含んでいる電池セル相互接続及び電圧センシングアセンブリであって、
前記フレーム部材は、第４壁部位と中央プレートとの間に連結されていて両側に側縁部を有している第２支持部材をさらに含んでおり、前記第２支持部材の第１壁部位側には、前記第２支持部材の一方の側縁部に隣接する第３ギャップが形成され、前記第２支持部材の第２壁部位側には、前記第２支持部材の他方の側縁部に隣接する第４ギャップが形成されるようになっており、
前記電池セル相互接続及び電圧センシングアセンブリは、前記フレーム部材の第１サイド上で前記第２支持部材に連結されている第２電気的相互接続部材をさらに含んでおり、
前記第２電気的相互接続部材は、第３ギャップを通して延びている前記第１電池セルの第２電気端子に電気的に接続されるように構成されていることを特徴とする、電池セル相互接続及び電圧センシングアセンブリ。
【請求項２】
前記カプセル化部位はまた、中央プレートに隣接して配置されている回路ボードの第１サイドに接合されており、これを覆うことを特徴とする、請求項１に記載の電池セル相互接続及び電圧センシングアセンブリ。
【請求項３】
前記第２電気的相互接続部材はまた、第２電気的相互接続部材が第１電池セルを第２電池セルに電気的に接続できるように、第４ギャップを通して延びている第２電池セルの第３電気端子に電気的に接続されるように構成されており、前記第２電気的相互接続部材は、中央プレート内で第３開口を通して延びている第２電圧センシングタブを含むことを特徴とする、請求項１に記載の電池セル相互接続及び電圧センシングアセンブリ。
【請求項４】
前記回路ボードは、第２電圧センシングタブと電気コネクタとの間に接続されている第２電気トレースを含んでいることを特徴とする、請求項３に記載の電池セル相互接続及び電圧センシングアセンブリ。
【請求項５】
前記第１支持部材は、第１電気的相互接続部材内の開口を通して延びている少なくとも一つの取付けタブ（ａｔｔａｃｈｍｅｎｔ  ｔａｂ）を含んでいることを特徴とする、請求項１に記載の電池セル相互接続及び電圧センシングアセンブリ。
【請求項６】
前記第２支持部材は、第２電気的相互接続部材内の開口を通して延びている少なくとも一つの取付けタブを含んでいることを特徴とする、請求項５に記載の電池セル相互接続及び電圧センシングアセンブリ。
【請求項７】
前記カプセル化部位は熱可塑性ポリアミド（ｔｈｅｒｍｏｐｌａｓｔｉｃ  ｐｏｌｙａｍｉｄｅ）からなることを特徴とする、請求項１に記載の電池セル相互接続及び電圧センシングアセンブリ。
【請求項８】
電池セル相互接続及び電圧センシングアセンブリを製造する方法であって、
第１サイド及び第２サイドを含み、第１、第２、第３及び第４壁部位を含む全体として四角リング状の周壁を含むフレーム部材を提供する過程であって、前記第１及び第２壁部位は、実質的に互いに平行であり、互いに離隔しており、前記第３及び第４壁部位は、実質的に互いに平行であり、互いに離隔しており、前記フレーム部材は、第１及び第２壁部位間に連結されている中央プレートを含み、前記中央プレートは、中央プレートと第３壁部位との間に第１空間を設定し、前記中央プレートはまた、中央プレートと第４壁部位との間に第２空間を設定し、前記フレーム部材はまた、第３壁部位と中央プレートとの間に連結されていて両側に側縁部を有している第１支持部材を含んでおり、前記第１支持部材の第１壁部位側には、前記第１支持部材の一方の側縁部に隣接する第１ギャップが形成され、前記第１支持部材の第２壁部位側には、前記第１支持部材の他方の側縁部に隣接する第２ギャップが形成されるようになっている、過程と、
前記中央プレートから延びている少なくとも一つの連結タブ上でフレーム部材の第２サイドに隣接した回路ボードを形成する過程であって、前記回路ボードは、互いに反対側を向いた第１及び第２サイドを含んでおり、前記回路ボードの前記第１サイドは、中央プレートに隣接して配置されており、前記中央プレートの第２開口を通して延びている回路ボード上に電気コネクタが配置されており、前記回路ボードは第１電気トレースを含んでいる過程と、
前記フレーム部材の第１サイド上で第１電気的相互接続部材を第１支持部材に連結する過程であって、前記第１電気的相互接続部材は、中央プレート内の第１開口を通して延びている第１電圧センシングタブを含む過程と、
前記回路ボード上で第１電圧センシングタブを第１電気トレースにソルダリングする過程であって、前記第１電気トレースは、第１電圧センシングタブと前記電気コネクタとの間に延びている過程と、
前記回路ボードの第２サイドに接合されており、これを覆うカプセル化部位を、回路ボードの第２サイドに付加する過程と、を含むことを特徴とする、製造方法。
【請求項９】
前記カプセル化部位はまた、中央プレートに隣接した回路ボードの第１サイドを覆うことを特徴とする、請求項８に記載の製造方法。
【請求項１０】
前記フレーム部材は、第４壁部位と中央プレートとの間に連結されていて両側に側縁部を有している第２支持部材をさらに含んでおり、前記第２支持部材の第１壁部位側には、前記第２支持部材の一方の側縁部に隣接する第３ギャップが形成され、前記第２支持部材の第２壁部位側には、前記第２支持部材の他方の側縁部に隣接する第４ギャップが形成されるようになっていることを特徴とする、請求項８に記載の製造方法。
【請求項１１】
前記フレーム部材の第１サイド上で第２電気的相互接続部材を第２支持部材に連結する過程をさらに含み、前記第２電気的相互接続部材は、中央プレート内の第３開口を通して延びている第２電圧センシングタブを含むことを特徴とする、請求項１０に記載の製造方法。
【請求項１２】
前記回路ボード上で第２電圧センシングタブを第２電気トレースにソルダリングする過程をさらに含み、前記第２電気トレースは、第２電圧センシングタブと電気コネクタとの間に延びていることを特徴とする、請求項１１に記載の製造方法。
【請求項１３】
前記カプセル化部位は熱可塑性ポリアミドからなることを特徴とする、請求項８に記載の製造方法。
【発明の詳細な説明】
【技術分野】
【０００１】
本発明は、電池セル相互接続及び電圧センシングアセンブリ、並びにアセンブリの製造方法を提供する。
【背景技術】
【０００２】
本出願の発明者らは、従来より向上した電池セル相互接続及び電圧センシングアセンブリ、並びにアセンブリの製造方法に対する必要性をここに認識した。
【発明の概要】
【発明が解決しようとする課題】
【０００３】
本発明は、電池セル相互接続及び電圧センシングアセンブリの実施例を提供する。
【０００４】
本発明はまた、電池セル相互接続及び電圧センシングアセンブリの製造方法のための実施例を提供する。
【課題を解決するための手段】
【０００５】
本発明の一つの態様として、電池セル相互接続及び電圧センシングアセンブリが提供される。前記アセンブリは、第１及び第２サイド（ｓｉｄｅ）を有するフレーム部材を含んでいる。前記フレーム部材は、第１、第２、第３及び第４壁部位（ｗａｌｌ  ｐｏｒｔｉｏｎｓ）を有する全体として四角リング状（ｒｅｃｔａｎｇｕｌａｒ  ｒｉｎｇ−ｓｈａｐｅｄ）の周壁（ｐｅｒｉｐｈｅｒａｌ  ｗａｌｌ）をさらに含んでいる。前記第１及び第２壁部位は、実質的に互いに平行であり、互いに離隔している。前記第３及び第４壁部位は、実質的に互いに平行であり、互いに離隔している。
【０００６】
前記フレーム部材は、第１及び第２壁部位間に連結されている中央プレート（ｃｅｎｔｒａｌ  ｐｌａｔｅ）をさらに含んでいる。前記中央プレートは、中央プレートと第３壁部位との間に第１空間（ｆｉｒｓｔ  ｓｐａｃｅ）を設定する。前記中央プレートはまた、中央プレートと第４壁部位との間に第２空間を設定する。
【０００７】
前記フレーム部材は、第３壁部位と中央プレートとの間に連結されていて両側に側縁部（ｏｐｐｏｓｉｔｅ  ｅｄｇｅｓ）を有している第１支持部材（ｆｉｒｓｔ  ｓｕｐｐｏｒｔ  ｍｅｍｂｅｒ）をさらに含んでおり、前記第１支持部材の第１壁部位側には、前記第１支持部材の一方の側縁部に隣接する第１ギャップが形成され、前記第１支持部材の第２壁部位側には、前記第１支持部材の他方の側縁部に隣接する第２ギャップが形成されるようになっている。前記アセンブリは、前記フレーム部材の第１サイド上で第１支持部材に連結されている第１電気的相互接続部材（ｆｉｒｓｔ  ｅｌｅｃｔｒｉｃａｌ  ｉｎｔｅｒｃｏｎｎｅｃｔ  ｍｅｍｂｅｒ）をさらに含んでいる。
【０００８】
前記第１電気的相互接続部材は、第１ギャップ（ｆｉｒｓｔ  ｇａｐ）を通して延びている第１電池セルの第１電気端子に電気的に接続されるように構成されている。前記第１電気的相互接続部材は、中央プレート（ｃｅｎｔｒａｌ  ｐｌａｔｅ）内の第１開口（ｆｉｒｓｔ  ａｐｅｒｔｕｒｅ）を通して延びている第１電圧センシングタブ（ｆｉｒｓｔ  ｖｏｌｔａｇｅ  ｓｅｎｓｉｎｇ  ｔａｂ）を含んでいる。前記アセンブリは、前記中央プレートから延びている少なくとも一つの連結タブ上で前記フレーム部材の第２サイドに隣接して配置されている回路ボード（ｃｉｒｃｕｉｔ  ｂｏａｒｄ）をさらに含んでいる。
【０００９】
前記回路ボードは、互いに反対側を向いた第１及び第２サイドを含んでいる。前記回路ボードの前記第１サイドは、前記中央プレートに隣接して配置されている。前記アセンブリは、前記回路ボード上に配置されており、前記中央プレートの第２開口（ｓｅｃｏｎｄ  ａｐｅｒｔｕｒｅ）を通して延びている電気コネクタ（ｅｌｅｃｔｒｉｃａｌ  ｃｏｎｎｅｃｔｏｒ）をさらに含んでいる。前記回路ボードは、第１電圧センシングタブ（ｆｉｒｓｔ  ｖｏｌｔａｇｅ  ｓｅｎｓｉｎｇ  ｔａｂ）と電気コネクタとの間に接続された第１電気トレース（ｆｉｒｓｔ  ｅｌｅｃｔｒｉｃａｌ  ｔｒａｃｅ）を含んでいる。前記アセンブリは、前記回路ボードの第２サイドと接合されており、それを覆うカプセル化部位（ｅｎｃａｐｓｕｌａｔｉｏｎ  ｐｏｒｔｉｏｎ）をさらに含んでいる。
【００１０】
本発明のもう一つの態様として、電池セル相互接続及び電圧センシングアセンブリの製造方法が提供される。
【００１１】
前記方法は、第１サイド及び第２サイドを含むフレーム部材を提供する過程を含んでいる。前記フレーム部材は、第１、第２、第３及び第４壁部位を含む全体として四角リング状の周壁をさらに含んでいる。前記第１及び第２壁部位は、実質的に互いに平行であり、互いに離隔している。前記第３及び第４壁部位は、実質的に互いに平行であり、互いに離隔している。前記フレーム部材は、第１及び第２壁部位間に連結されている中央プレートを含んでいる。前記中央プレートは、中央プレートと第３壁部位との間に第１空間を設定する。前記中央プレートは、中央プレートと第４壁部位との間に第２空間をさらに設定する。前記フレーム部材は、第３壁部位と中央プレートとの間に連結されている第１支持部材をさらに含んでおり、前記第１支持部材の第１壁部位側には、前記第１支持部材の一方の側縁部に隣接する第１ギャップが形成され、前記第１支持部材の第２壁部位側には、前記第１支持部材の他方の側縁部に隣接する第２ギャップが形成されるようになっている。
【００１２】
前記方法は、前記中央プレートから延びている少なくとも一つの連結タブ上でフレーム部材の第２サイドに隣接した回路ボードを形成する過程をさらに含んでいる。前記回路ボードは、互いに反対側を向いた第１及び第２サイドを含んでいる。前記回路ボードの第１サイドは、中央プレートに隣接して配置されている。電気コネクタは、前記中央プレートの第２開口を通して延びている回路ボード上に配置されている。前記回路ボードは第１電気トレースを含んでいる。前記第１電気的相互接続部材は、中央プレート内の第１開口を通して延びている第１電圧センシングタブを含んでいる。前記方法は、前記回路ボード上で第１電圧センシングタブを第１電気トレースにソルダリングする過程をさらに含んでいる。前記第１電気トレースは、第１電圧センシングタブと前記電気コネクタとの間に延びている。前記方法は、前記回路ボードの第２サイドに接合されており、これを覆うカプセル化部位を、回路ボードの第２サイドに付加する過程をさらに含んでいる。
【図面の簡単な説明】
【００１３】
【図１】本発明の一つの実施例に係る電池セル相互接続及び電圧センシングアセンブリを含んでいる車両用電池モジュールの模式図である。
【図２】図１の車両用電池モジュールの断面模式図である。
【図３】図２の拡大模式図である。
【図４】図１の電池セル相互接続及び電圧センシングアセンブリの断面模式図である。
【図５】図１の電池セル相互接続及び電圧センシングアセンブリの断面拡大模式図である。
【図６】図１の電池セル相互接続及び電圧センシングアセンブリに装着されたフレーム部材の第１サイドの模式図である。
【図７】図１の電池セル相互接続及び電圧センシングアセンブリに装着されたフレーム部材の第２サイドの模式図である。
【図８】図１の電池セル相互接続及び電圧センシングアセンブリに装着されたフレーム部材の模式図である。
【図９】図１の電池セル相互接続及び電圧センシングアセンブリに装着され、それに連結された電気的相互接続部材を含むフレーム部材の模式図である。
【図１０】図１の電池セル相互接続及び電圧センシングアセンブリに装着され、それに連結された電気的相互接続部材を含むフレーム部材の他の模式図である。
【図１１】図１の電池セル相互接続及び電圧センシングアセンブリに装着され、それに連結された回路ボード及び電気的相互接続部材を含むフレーム部材の模式図である。
【図１２】電気的相互接続部材に連結された図１１の回路ボードの模式図である。
【図１３】電気的相互接続部材に連結された図１１の回路ボードの他の模式図である。
【図１４】図１１の回路ボードのサイドの模式図である。
【図１５】本発明の一つの実施例によって、フレーム部材、電気的相互接続部材及びカプセル化層でカプセル化された回路ボードを含む図１の電池セル相互接続及び電圧センシングアセンブリの模式図である。
【図１６】本発明の一つの実施例によって、フレーム部材、電気的相互接続部材及びカプセル化層でカプセル化された回路ボードを含む図１の電池セル相互接続及び電圧センシングアセンブリの他の模式図である。
【図１７】電池セル相互接続及び電圧センシングアセンブリの製造のためのシステムのブロックダイアグラムである。
【図１８】本発明の他の実施例に係る図１５の電池セル相互接続及び電圧センシングアセンブリの製造方法のフローチャートである。
【図１９】本発明の他の実施例に係る図１５の電池セル相互接続及び電圧センシングアセンブリの製造方法のフローチャートである。
【図２０】図１の車両用電池モジュールの断面模式図である。
【発明を実施するための形態】
【００１４】
図１乃至図３を参照すると、一つの実施例に係る車両用電池モジュール１０が提供されている。車両用電池モジュール１０は、電池セル２０，２２，２４，２６，２８，３０，３２，３４，３６，３８，４０，４２，４４，４６，４８，５０，５２，５４，５６，５８、ハウジング７０、及び電池セル相互接続及び電圧センシングアセンブリ９０を含んでいる。
【００１５】
電池セル２０〜５８は、作動電圧を生成するようにそれぞれ構成されている。一つの実施例において、電池セル２０〜５８は、全体として四角形状の本体部及び一対の電極端子を含むパウチ型リチウム−イオン電池セルである。一つの実施例において、電池セル２０〜５８は、相互間に電気的相互接続部材１２０〜１４０を用いて直列に接続されている。一つの実施例において、電池セル２０〜５８の電極端子は、超音波溶接機を用いて、対応する電気的相互接続部材に電極端子を超音波溶接することによって、対応する電気的相互接続部材に接続されることは、注目すべき点である。
【００１６】
図１、図２、図９及び図２０を参照すると、電池セル２０は、四角形状の本体部１５０を含んでおり、電池セル２０には、本体部１５０から延びた電極端子１５１及び電極端子１５２が設けられている。電極端子１５１は電気的相互接続部材１２０に接続されており、電極端子１５２は電気的相互接続部材１３０に接続されている。
【００１７】
電池セル２２は、四角形状の本体部１５３を含んでおり、電池セル２２には、本体部１５３から延びた電極端子１５４及び電極端子１５５が設けられている。電極端子１５４は電気的相互接続部材１２０に接続されており、電極端子１５５は電気的相互接続部材１３０に接続されている。
【００１８】
電池セル２４は、四角形状の本体部１５６を含んでおり、電池セル２４には、本体部１５６から延びた電極端子１５７及び電極端子１５８が設けられている。電極端子１５７は電気的相互接続部材１２０に接続されており、電極端子１５８は電気的相互接続部材１３２に接続されている。
【００１９】
電池セル２６は、四角形状の本体部１５９を含んでおり、電池セル２６には、本体部１５９から延びた電極端子１６０及び電極端子１６１が設けられている。電極端子１６０は電気的相互接続部材１２０に接続されており、電極端子１６１は電気的相互接続部材１３２に接続されている。
【００２０】
電池セル２８は、四角形状の本体部１６２を含んでおり、電池セル２８には、本体部１６２から延びた電極端子１６３及び電極端子１６４が設けられている。電極端子１６３は電気的相互接続部材１２２に接続されており、電極端子１６４は電気的相互接続部材１３２に接続されている。
【００２１】
電池セル３０は、四角形状の本体部１６５を含んでおり、電池セル３０には、本体部１６５から延びた電極端子１６６及び電極端子１６７が設けられている。電極端子１６６は電気的相互接続部材１２２に接続されており、電極端子１６７は電気的相互接続部材１３２に接続されている。
【００２２】
電池セル３２は、四角形状の本体部１６８を含んでおり、電池セル３２には、本体部１６８から延びた電極端子１６９及び電極端子１７０が設けられている。電極端子１６９は電気的相互接続部材１２２に接続されており、電極端子１７０は電気的相互接続部材１３４に接続されている。
【００２３】
電池セル３４は、四角形状の本体部１７１を含んでおり、電池セル３４には、本体部１７１から延びた電極端子１７２及び電極端子１７３が設けられている。電極端子１７２は電気的相互接続部材１２２に接続されており、電極端子１７３は電気的相互接続部材１３４に接続されている。
【００２４】
電池セル３６は、四角形状の本体部１７４を含んでおり、電池セル３６には、本体部１７４から延びた電極端子１７５及び電極端子１７６が設けられいる。電極端子１７５は電気的相互接続部材１２４に接続されており、電極端子１７６は電気的相互接続部材１３４に接続されている。
【００２５】
電池セル３８は、四角形状の本体部１７７を含んでおり、電池セル３８には、本体部１７７から延びた電極端子１７８及び電極端子１７９が設けられいる。電極端子１７８は電気的相互接続部材１２４に接続されており、電極端子１７９は電気的相互接続部材１３４に接続されている。
【００２６】
電池セル４０は、四角形状の本体部１８０を含んでおり、電池セル４０には、本体部１８０から延びた電極端子１８１及び電極端子１８２が設けられいる。電極端子１８１は電気的相互接続部材１２４に接続されており、電極端子１８２は電気的相互接続部材１３６に接続されている。
【００２７】
電池セル４２は、四角形状の本体部１８３を含んでおり、電池セル４２には、本体部１８３から延びた電極端子１８４及び電極端子１８５が設けられいる。電極端子１８４は電気的相互接続部材１２４に接続されており、電極端子１８５は電気的相互接続部材１３６に接続されている。
【００２８】
電池セル４４は、四角形状の本体部１８６を含んでおり、電池セル４４には、本体部１８６から延びた電極端子１８７及び電極端子１８８が設けられいる。電極端子１８７は電気的相互接続部材１２６に接続されており、電極端子１８８は電気的相互接続部材１３６に接続されている。
【００２９】
電池セル４６は、四角形状の本体部１８９を含んでおり、電池セル４６には、本体部１８９から延びた電極端子１９０及び電極端子１９１が設けられいる。電極端子１９０は電気的相互接続部材１２６に接続されており、電極端子１９１は電気的相互接続部材１３６に接続されている。
【００３０】
電池セル４８は、四角形状の本体部１９２を含んでおり、電池セル４８には、本体部１９２から延びた電極端子１９３及び電極端子１９４が設けられいる。電極端子１９３は電気的相互接続部材１２６に接続されており、電極端子１９４は電気的相互接続部材１３８に接続されている。
【００３１】
電池セル５０は、四角形状の本体部１９５を含んでおり、電池セル５０には、本体部１９５から延びた電極端子１９６及び電極端子１９７が設けられいる。電極端子１９６は電気的相互接続部材１２６に接続されており、電極端子１９７は電気的相互接続部材１３８に接続されている。
【００３２】
電池セル５２は、四角形状の本体部１９８を含んでおり、電池セル５２には、本体部１９８から延びた電極端子１９９及び電極端子２００が設けられいる。電極端子１９９は電気的相互接続部材１２８に接続されており、電極端子２００は電気的相互接続部材１３８に接続されている。
【００３３】
電池セル５４は、四角形状の本体部２０１を含んでおり、電池セル５４には、本体部２０１から延びた電極端子２０２及び電極端子２０３が設けられいる。電極端子２０２は電気的相互接続部材１２８に接続されており、電極端子２０３は電気的相互接続部材１３８に接続されている。
【００３４】
電池セル５６は、四角形状の本体部２０４を含んでおり、電池セル５６には、本体部２０４から延びた電極端子２０５及び電極端子２０６が設けられいる。電極端子２０５は電気的相互接続部材１２８に接続されており、電極端子２０６は電気的相互接続部材１４０に接続されている。
【００３５】
電池セル５８は、四角形状の本体部２０７を含んでおり、電池セル５８には、本体部２０７から延びた電極端子２０８及び電極端子２０９が設けられいる。電極端子２０８は電気的相互接続部材１２８に接続されており、電極端子２０９は電気的相互接続部材１４０に接続されている。
【００３６】
図１を参照すると、ハウジング７０は、内部に電池セル２０〜５８が固定され、上部に電池セル相互接続及び電圧センシングアセンブリ９０が固定されるように構成されている。
【００３７】
図４、図５及び図１５を参照すると、電池セル相互接続及び電圧センシングアセンブリ９０は、電池セル２０〜５８を互いに電気的に接続するように構成されている。また、アセンブリ９０は、電気的相互接続部材１２０，１２２，１２４，１２６，１２８，１３０，１３２，１３４，１３６，１３８，１４０に電気的に接続された電気コネクタ１４６を含んでいる。コンピュータまたはマイクロプロセッサ（図示せず）が電気コネクタ１４６に作動的に結合されて、電池セル２０〜５８の作動電圧を測定し、メモリ装置に作動電圧に対応する値を格納することができる。
【００３８】
アセンブリ９０は、フレーム部材１００、電気的相互接続部材１２０，１２２，１２４，１２６，１２８，１３０，１３２，１３４，１３６，１３８，１４０、回路ボード１４４、電気コネクタ１４６、及び電気的カプセル化部位１４８を含んでいる。
【００３９】
フレーム部材１００は、電気的相互接続部材１２０〜１４０、回路ボード１４４、電気コネクタ１４６及びカプセル化部位１４８を支持するように構成されている。図６乃至図８を参照すると、フレーム部材１００は第１サイド２１６及び第２サイド２１８を含んでいる。フレーム部材１００は、全体として四角リング状の周壁２２０、中央プレート２４０、支持部材２６０，２６２，２６４，２６６，２６８，２８０，２８２，２８４，２８６，２８８，２９０、クロス部材（ｃｒｏｓｓ−ｍｅｍｂｅｒｓ）３００，３０２，３０４，３０６，３０８，３１０，３１２、マウンティングタブ（ｍｏｕｎｔｉｎｇ  ｔａｂｓ）３３０，３３２，３４０，３４２をさらに含んでいる。一つの実施例において、フレーム部材１００はプラスチックからなっている。
【００４０】
全体として四角リング状の周壁２２０は、第１、第２、第３及び第４壁部位３５２，３５４，３５６，３５８を含んでいる。第１及び第２壁部位３５２，３５４は、実質的に互いに平行であり、互いに離隔している。第３及び第４壁部位３５６，３５８は、実質的に互いに平行であり、互いに離隔している。
【００４１】
図４、図５、図６、図１１及び図１５を参照すると、中央プレート２４０は、第１及び第２壁部位３５２，３５４間に連結されている。中央プレート２４０は、中央プレート２４０と第３壁部位３５６との間に第１空間２４２を設定する。中央プレート２４０はまた、中央プレート２４０と第４壁部位３５８との間に第２空間２４４をさらに設定する。
【００４２】
中央プレート２４０は、第２サイド２１８から外側に延びた連結タブ３６６，３６８を含んでいる。連結タブ３６６，３６８は、回路ボード１４４の対応する開口に収容されるように構成されており、カプセル化部位１４８が回路ボード１４４を完全に覆うように、第２サイド２１８から所定の距離だけ離隔して回路ボード１４４を固定するように構成されている。中央プレート２４０は、図１３に示された各電気的相互接続部材１２０，１２２，１２４，１２６，１２８，１３０，１３２，１３４，１３６，１３８，１４０からそれぞれ延びている対応する電圧センシングタブ５５６，６２２，６２４，６２６，６２８，６３０，６３２，６３４，６３６，６３８，６４０を収容するための開口３７０，３７２，３７４，３７６，３７８，３８０，３８２，３８４，３８６，３８８，３９０，３９２，３９４，３９６をさらに含んでいる。
【００４３】
支持部材２６０，２６２，２６４，２６６，２６８及びクロス部材３００，３０２，３０４，３０６は、第３壁部位３５６と中央プレート２４０との間に連結されている。ギャップ４１０，４１２は、支持部材２６０の両側の側縁部にそれぞれ隣接して形成されており、ギャップ４１４，４１６は、支持部材２６２の両側の側縁部にそれぞれ隣接して形成されている。ギャップ４１４，４１６は、支持部材２６２の両側の側縁部にそれぞれ隣接して形成されており、ギャップ４１８，４２０は、支持部材２６４の両側の側縁部にそれぞれ隣接して形成されている。ギャップ４２２，４２４は、支持部材２６６の両側の側縁部にそれぞれ隣接して形成されており、ギャップ４２６，４２８は、支持部材２６８の両側の側縁部にそれぞれ隣接して形成されている。
【００４４】
支持部材２８０，２８２，２８６，２８８，２９０及びクロス部材３０８，３１０，３１２は、第４壁部位３５８と中央プレート２４０との間に連結されている。ギャップ４３０，４３２は、支持部材２８０の両側の側縁部にそれぞれ隣接して形成されており、ギャップ４３２，４３４は、支持部材２８２の両側の側縁部にそれぞれ隣接して形成されている。ギャップ４３６，４３８は、支持部材２８４の両側の側縁部にそれぞれ隣接して形成されており、ギャップ４４０，４４２は、支持部材２８６の両側の側縁部にそれぞれ隣接して形成されている。ギャップ４４４，４４６は、支持部材２８８の両側の側縁部にそれぞれ隣接して形成されており、ギャップ４４６，４４８は、支持部材２９０の両側の側縁部にそれぞれ隣接して形成されている。
【００４５】
図６及び図１５を参照すると、支持部材２６０は、電気的相互接続部材１２０を支持部材２６０に連結するために延びている取付けタブ４６０，４６１を含んでおり、支持部材２６２は、電気的相互接続部材１２２を支持部材２６２に連結するために延びている取付けタブ４６２，４６３を含んでいる。
【００４６】
支持部材２６４は、電気的相互接続部材１２４を支持部材２６４に連結するために延びている取付けタブ４６４，４６５を含んでおり、支持部材２６６は、電気的相互接続部材１２６を支持部材２６６に連結するために延びている取付けタブ４６６，４６７を含んでいる。
【００４７】
支持部材２６８は、電気的相互接続部材１２８を支持部材２６８に連結するために延びている取付けタブ４６８，４６９を含んでいる。
【００４８】
支持部材２８０は、電気的相互接続部材１３０を支持部材２８０に連結するために延びている取付けタブ４８０，４８１を含んでおり、支持部材２８２は、電気的相互接続部材１３２を支持部材２８２に連結するために延びている取付けタブ４８２，４８３を含んでいる。
【００４９】
支持部材２８４は、電気的相互接続部材１３４を支持部材２８４に連結するために延びている取付けタブ４８４，４８５を含んでおり、支持部材２８６は、電気的相互接続部材１３６を支持部材２８６に連結するために延びている取付けタブ４８６，４８７を含んでいる。
【００５０】
支持部材２８８は、電気的相互接続部材１３８を支持部材２８８に連結するために延びている取付けタブ４８８，４８９を含んでおり、支持部材２９０は、電気的相互接続部材１４０を支持部材２９０に連結するために延びている取付けタブ４９０，４９２を含んでいる。
【００５１】
図１及び図８を参照すると、マウンティングタブ３３０，３３２は、第１壁部位３５２から延びており、ハウジング７０と分離可能に噛み合うように構成されている。また、マウンティングタブ３４０，３４２は、第２壁部位３５４から延びており、ハウジング７０と分離可能に噛み合うように構成されている。
【００５２】
図９、図１２及び図１３を参照すると、電池セル２０〜５８を互いに直列状態に電気的に接続するために、電気的相互接続部材１２０，１２２，１２４，１２６，１２８，１３０，１３２，１３４，１３６，１３８，１４０が提供されている。各電気的相互接続部材１２０，１２２，１２４，１２６，１２８，１３２，１３４，１３６，１３８の構造は同じ構造を有するので、電気的相互接続部材１２０の構造のみを以下で詳細に説明する。
【００５３】
電気的相互接続部材１２０は、四角プレート５５０、サイド壁５５２，５５４及び電圧センシングタブ５５６を含んでいる。四角プレート５５０は、実質的に互いに平行に位置した側縁部５５７，５５８、及び実質的に互いに平行に位置した端縁部５５９，５６０を含んでいる。サイド壁５５２，５５４は、側縁部５５７，５５８から、第１方向に四角プレート５５０に対して垂直にそれぞれ延びている。タブ５５６は、回路ボード１４４側の端縁部５５９から外側に延びている。
【００５４】
図６及び図１３を参照すると、電気的相互接続部材１２０の四角プレート５５０は、その四角プレート５５０を貫通する開口５８０，５８２を有している。支持部材２６０の取付けタブ４６０，４６１はそれぞれ、四角プレート５５０の対応する開口５８０，５８２を通って延びるように構成されている。その後、取付けタブ４６０，４６１は、支持部材２６０上で電気的相互接続部材１２０を堅固に固定するためにヒート−ステーキング（ｈｅａｔ−ｓｔａｋｅｄ）されている。その他の電気的相互接続部材１２２，１２４，１２６，１２８，１３０，１３２，１３４，１３６，１３８，１４０は、電気的相互接続部材１２０に対して説明したのと同じ方法を用いて、フレーム部材１００上においてそれぞれに対応する支持部材２６２，２６４，２６６，２６８，２８０，２８２，２８４，２８６，２８８，２９０に接続されている。
【００５５】
図示のように、電気的相互接続部材１２０，１２２，１２４，１２６，１２８，１３０，１３２，１３４，１３６，１３８，１４０は、電圧センシングタブ５５６，６２２，６２４，６２６，６２８，６３０，６３２，６３４，６３６，６３８，６４０をそれぞれ含んでいる。一つの実施例において、電気的相互接続部材１２０，１２２，１２４，１２６，１２８，１３０，１３２，１３４，１３６，１３８，１４０は、銅またはニッケル−メッキ銅素材からなっている。しかし、他の実施例において、その他の電気伝導性物質が電気的相互接続部材１２０〜１４０の素材として使用されてもよい。それぞれの電気的相互接続部材１２０〜１４０は、第１電池セルから他の電池セルへの電気的流れの経路のために、第１電池セル及び他の電池セルの電極端子間に接続されるように構成されている。電気的相互接続部材の数は、所望の電池セルの数によって変更可能であることを注目しなければならない。
【００５６】
図７及び図１３乃至図１５を参照すると、回路ボード１４４は、電気的相互接続部材１２０〜１４０が電気コネクタ１４６に電気的に接続されるように構成されている。コンピュータ（図示せず）が、電気コネクタ１４６に電気的に接続されて、電池セルの作動電圧レベルを測定し、メモリ装置に作動電圧レベルを示す値を格納することができる。
【００５７】
一つの実施例において、回路ボード１４４は印刷回路基板（ｐｒｉｎｔｅｄ  ｃｉｒｃｕｉｔ  ｂｏａｒｄ）である。回路ボード１４４は、互いに反対側を向いた第１サイド７００及び第２サイド７０２を含んでいる。回路ボード１４４の第１サイド７００は、フレーム部材の第２サイド２１８の中央プレート２４０に隣接して配置されている。回路ボード１４４は、その回路ボード１４４を貫通する開口７７２，７７４，７７６，７７８，７８０，７８２，７８４，７８６，７８８，７９０，７９２を含んでいる。回路ボード１４４は、第２サイド７０２上に配置された電気トレース８７２，８７４，８７６，８７８，８８０，８８２，８８４，８８６，８８８，８９０，８９２をさらに含んでいる。
【００５８】
図６及び図１３乃至図１５を参照すると、電気コネクタ１４６は、ハウジング９００、及びハウジング９００内に配置された電極端子９７２，９７４，９７６，９７８，９８０，９８２，９８４，９８６，９８８，９９０，９９２を含んでいる。電気コネクタ１４６は、フレーム部材１００の中央プレート２４０に配置されており、ハウジング９００の一部は、中央プレート２４０の開口３７０を通して延びている。
【００５９】
図６、図１３及び図１４を参照すると、電気的相互接続部材１２０の電圧センシングタブ５５６は、フレーム部材１００の開口３７２及び回路ボード１４４の開口７７２を通って延びている。この電圧センシングタブ５５６は、電極端子９７２に延びている電気トレース８７２にソルダリングされる。したがって、コンピュータ（図示せず）が、電極端子９７２をモニタリングして、電気的相互接続部材１２０及びその電気的相互接続部材１２０に接続された電池セルに関連する作動電圧を定めることができる。
【００６０】
電気的相互接続部材１２２の電圧センシングタブ６２２は、フレーム部材１００の開口３７４及び回路ボード１４４の開口７７４を通って延びている。この電圧センシングタブ６２２は、電極端子９７４に延びている電気トレース８７４にソルダリングされる。したがって、コンピュータ（図示せず）が、電極端子９７４をモニタリングして、電気的相互接続部材１２２及びその電気的相互接続部材１２２に接続された電池セルに関連する作動電圧を定めることができる。
【００６１】
電気的相互接続部材１２４の電圧センシングタブ６２４は、フレーム部材１００の開口３７６及び回路ボード１４４の開口７７６を通って延びている。この電圧センシングタブ６２４は、電極端子９７６に延びている電気トレース８７６にソルダリングされる。したがって、コンピュータ（図示せず）が、電極端子９７６をモニタリングして、電気的相互接続部材１２４及びその電気的相互接続部材１２４に接続された電池セルに関連する作動電圧を定めることができる。
【００６２】
電気的相互接続部材１２６の電圧センシングタブ６２６は、フレーム部材１００の開口３７８及び回路ボード１４４の開口７７８を通って延びている。この電圧センシングタブ６２６は、電極端子９７８に延びている電気トレース８７８にソルダリングされる。したがって、コンピュータ（図示せず）が、電極端子９７８をモニタリングして、電気的相互接続部材１２６及びその電気的相互接続部材１２６に接続された電池セルに関連する作動電圧を定めることができる。
【００６３】
電気的相互接続部材１２８の電圧センシングタブ６２８は、フレーム部材１００の開口３８０及び回路ボード１４４の開口７８０を通って延びている。この電圧センシングタブ６２８は、電極端子９８０に延びている電気トレース８８０にソルダリングされる。したがって、コンピュータ（図示せず）が、電極端子９８０をモニタリングして、電気的相互接続部材１２８及びその電気的相互接続部材１２８に接続された電池セルに関連する作動電圧を定めることができる。
【００６４】
電気的相互接続部材１３０の電圧センシングタブ６３０は、フレーム部材１００の開口３８２及び回路ボード１４４の開口７８２を通って延びている。この電圧センシングタブ６３０は、電極端子９８２に延びている電気トレース８８２にソルダリングされる。したがって、コンピュータ（図示せず）が、電極端子９８２をモニタリングして、電気的相互接続部材１３０及びその電気的相互接続部材１３０に接続された電池セルに関連する作動電圧を定めることができる。
【００６５】
電気的相互接続部材１３２の電圧センシングタブ６３２は、フレーム部材１００の開口３８４及び回路ボード１４４の開口７８４を通って延びている。この電圧センシングタブ６３２は、電極端子９８４に延びている電気トレース８８４にソルダリングされる。したがって、コンピュータ（図示せず）が、電極端子９８４をモニタリングして、電気的相互接続部材１３２及びその電気的相互接続部材１３２に接続された電池セルに関連する作動電圧を定めることができる。
【００６６】
電気的相互接続部材１３４の電圧センシングタブ６３４は、フレーム部材１００の開口３８６及び回路ボード１４４の開口７８６を通って延びている。この電圧センシングタブ６３４は、電極端子９８６に延びている電気トレース８８６にソルダリングされる。したがって、コンピュータ（図示せず）が、電極端子９８６をモニタリングして、電気的相互接続部材１３４及びその電気的相互接続部材１３４に接続された電池セルに関連する作動電圧を定めることができる。
【００６７】
電気的相互接続部材１３６の電圧センシングタブ６３６は、フレーム部材１００の開口３８８及び回路ボード１４４の開口７８８を通って延びている。この電圧センシングタブ６３６は、電極端子９８６に延びている電気トレース８８８にソルダリングされる。したがって、コンピュータ（図示せず）が、電極端子９８８をモニタリングして、電気的相互接続部材１３６及びその電気的相互接続部材１３６に接続された電池セルに関連する作動電圧を定めることができる。
【００６８】
電気的相互接続部材１３８の電圧センシングタブ６３８は、フレーム部材１００の開口３９０及び回路ボード１４４の開口７９０を通って延びている。この電圧センシングタブ６３８は、電極端子９９０に延びている電気トレース８９０にソルダリングされる。したがって、コンピュータ（図示せず）が、電極端子９９０をモニタリングして、電気的相互接続部材１３８及びその電気的相互接続部材１３８に接続された電池セルに関連する作動電圧を定めることができる。
【００６９】
電気的相互接続部材１４０の電圧センシングタブ６４０は、フレーム部材１００の開口３９２及び回路ボード１４４の開口７９２を通って延びている。この電圧センシングタブ６４０は、電極端子９９２に延びている電気トレース８９２にソルダリングされる。したがって、コンピュータ（図示せず）が、電極端子９９２をモニタリングして、電気的相互接続部材１４０及びその電気的相互接続部材１４０に接続された電池セルに関連する作動電圧を定めることができる。
【００７０】
図４、図５、図１５及び図１６を参照すると、液体及びその他の塵埃が、回路ボード１４４の第１及び第２サイド７００，７０２及び回路ボード上の回路部品に接触することを防止するために、カプセル化部位１４８が、回路ボード１４４を覆うように提供される。カプセル化部位１４８は、第１部位１０３０、第２部位１０３２及び第３部位１０３４を含んでいる。
【００７１】
第１部位１０３０は、回路ボード１４４の第２サイド７０２に接合されており、これを覆っている。第２部位１０３２は、フレーム部材１００の第２サイド２１８と回路ボード１４４との間のギャップ１０３６に配置されており、第１サイド７００に接合されており、これを覆っている。ギャップ１０３６は、フレーム部材１００の第２サイド２１８から離隔した状態で回路ボード１４４を固定する連結タブ３６６，３６８によって形成されている。
【００７２】
第３部位１０３４は、中央プレート２４０上でフレーム部材１００の第１サイド２１６（図６参照）と接合されており、中央プレート２４０の一部を覆い、電気コネクタ１４６の外周を覆っている。一つの実施例において、カプセル化部位１４８は熱可塑性ポリアミド素材からなっている。他の実施例において、所望の物質特性を有するその他のカプセル化物質が、カプセル化部位１４８を構成するために使用されてもよい。例えば、他の実施例において、カプセル化部位１４８は、下記の群から選ばれた高分子からなってもよい：熱可塑性弾性体（ｔｈｅｒｍｏｐｌａｓｔｉｃ  ｅｌａｓｔｏｍｅｒｓ：ＴＰＥ）、加硫熱可塑性プラスチック（ｖｕｌｃａｎｉｚｅｄ  ｔｈｅｒｍｏｐｌａｓｔｉｃｓ：ＴＰＶ）、及び常温加硫弾性体（ｒｏｏｍ  ｔｅｍｐｅｒａｔｕｒｅ  ｖｕｌｃａｎｉｚｉｎｇ  ｅｌａｓｔｏｍｅｒｓ：ＲＴＶ）。
【００７３】
図６、図９及び図１７を参照して、電池セル相互接続及び電圧センシングアセンブリ９０の製造のためのシステム１２００を説明する。システム１２００は、ヒーティング−ステーキングデバイス（ｈｅａｔｉｎｇ  ｓｔａｋｉｎｇ  ｄｅｖｉｃｅ）１２２０、ソルダリング装置（ｓｏｌｄｅｒｉｎｇ  ｍａｃｈｉｎｅ）１２３０、及び射出成形機（ｉｎｊｅｃｔｉｏｎ  ｍｏｌｄｉｎｇ  ｍａｃｈｉｎｅ）１２４０を含んでいる。
【００７４】
相互接続部材１２０〜１４０が、フレーム部材１００の一対の取付けタブ４６０〜４８９の対応する対に隣接配置された後、ヒート−ステーキングデバイス１２２０は、フレーム部材１００上で電気的相互接続部材１２０〜１４０を接続するために、取付けタブ４６０〜４８９を熱積層（ｈｅａｔ  ｓｔａｋｅ）するように構成されている。
【００７５】
図１３、図１４及び図１７を参照すると、ソルダリング装置１２３０は、回路ボード１４４の電気トレースを電気コネクタ１４６の電極端子にソルダリングするように構成されている。
【００７６】
図４、図５及び図７を参照すると、射出成形機１２４０は、フレーム部材１００上で回路ボード１４４を覆うためにカプセル化部位１４８を形成するように構成されている。
【００７７】
図６、図９、図１３、図１７、図１８及び図１９を参照して、他の実施例に係る電池セル相互接続及び電圧センシングアセンブリ９０の製造のための方法を説明する。簡素化の目的で、電気的相互接続部材のうち一つ及び回路ボード１４４上の一つの電気トレースを使用して方法を説明する。しかし、その他の電気的相互接続部材とその他の電気トレースが製造方法に使用され得ることは理解できるであろう。
【００７８】
過程１２６０において、ユーザは、第１サイド２１６及び第２サイド２１８を含むフレーム部材１００を提供する。フレーム部材１００は、第１、第２、第３及び第４壁部位３５２，３５４，３５６，３５８を有する全体として四角リング状の周壁２２０をさらに含んでいる。
【００７９】
第１及び第２壁部位３５２，３５４、実質的に互いに平行であり、互いに離隔している。第３及び第４壁部位３５６，３５８は、実質的に互いに平行であり、互いに離隔している。
【００８０】
フレーム部材１００は、第１及び第２壁部位３５２，３５４間に連結されている中央プレート２４０をさらに含んでいる。中央プレート２４０は、中央プレート２４０と第３壁部位３５６との間に第１空間２４２を設定する。中央プレート２４０は、中央プレート２４０と第４壁部位３５８との間に第２空間２４４をさらに設定する。
【００８１】
フレーム部材１００は、第１及び第２ギャップが第１支持部材２６０の両側の側縁部に隣接して形成されるように、第３壁部位３５６と中央プレート２４０との間に配置されている第１支持部材２６０をさらに含んでいる。フレーム部材１００は、第３及び第４ギャップが第２支持部材２８０の両側の側縁部に隣接して形成されるように、第４壁部位３５８と中央プレート２４０との間に配置されている第２支持部材２８０を含んでいる。
【００８２】
過程１２６２において、ユーザは、中央プレート２４０から延びている少なくとも一つの連結タブ３６６上でフレーム部材１００の第２サイド２１８に隣接して回路ボード１４４を配置する。回路ボード１４４は、互いに反対側を向いた第１及び第２サイド７００，７０２を含んでいる。回路ボード１４４の第１サイド７００は、中央プレート２４０に隣接して配置されている。電気コネクタ１４６は、回路ボード１４４上に配置されており、中央プレート２４０の第１開口３７０を通して延びている。回路ボード１４４は、回路ボード１４４上に第１及び第２電気トレース８７２，８８２を含んでいる。
【００８３】
過程１２６４において、ヒート−ステーキングデバイス（ｈｅａｔ  ｓｔａｋｉｎｇ  ｄｅｖｉｃｅ）１２２０は、第１電気的相互接続部材１２０をフレーム部材１００の第１サイド２１６上の第１支持部材２６０に連結する。第１電気的相互接続部材１２０は、中央プレート２４０内で第２開口７７２を通して延びた第１電圧センシングタブ５５６を含んでいる。
【００８４】
過程１２６６において、ヒート−ステーキングデバイス１２２０は、第２電気的相互接続部材１３０をフレーム部材１００の第１サイド２１６上で第２支持部材２８０に連結する。第２電気的相互接続部材１３０は、中央プレート２４０内で第３開口７８２を通して延びている第２電圧センシングタブ６３０を含んでいる。
【００８５】
過程１２６８において、ソルダリング装置１２３０は、第１電気的相互接続部材１２０の第１電圧センシングタブ５５６を回路ボード上の第１電気トレース８７２に溶接する。第１電気トレース８７２は、第１電圧センシングタブ５５６と電気コネクタ１４６との間に延びている。
【００８６】
過程１２７０において、ソルダリング装置１２３０は、第２電気的相互接続部材１３０の第２電圧センシングタブ６３０を回路ボード１４４上の第２電気トレース８８２に溶接する。第２電気トレース８８２は、第２電圧センシングタブ６３０と電気コネクタ１４６との間に延びている。
【００８７】
過程１２７２において、射出成形機１２４０は、回路ボード１４４の第２サイド７０２及びフレーム部材１００の一部に接合され、これを覆う回路ボード１４４の第２サイドにカプセル化部位１４８を印加し、回路ボード１４４の第１サイドに接合され、これを覆う。
【００８８】
電池セル相互接続及び電圧センシングアセンブリ９０、及びアセンブリを製造する方法は、他のアセンブリよりも実質的に利点を提供する。特に、電池セル相互接続及び電圧センシングアセンブリ９０、並びに方法は、回路ボードの少なくとも一つのサイドに接合されたカプセル化部位１４８を使用して、液体及び他の汚染物質が回路ボードに接触することを防止する。
【００８９】
カプセル化部位１４８は、中央プレート２４０内の開口を貫通することによって、フレーム１００に堅固な機械的結束を提供する。カプセル化部位１４８はまた、その弾性特性により、アセンブリ９０に対する機械的衝撃（ｍｅｃｈａｎｉｃａｌ  ｓｈｏｃｋ）及び振動保護を提供する。また、カプセル化部位１４８は、誘電特性により、アセンブリ９０に対する電気的絶縁性を提供する。
【００９０】
本発明を限定された数の実施例との関係から具体的に説明したが、本発明がそのような開示された実施例に限定されないことを理解できるであろう。
【００９１】
むしろ、本発明は、ここに記載していないが、本発明の範疇に符合する任意の個数の変換、代替物、置換または等価の配列を合体するものに変更可能である。
【００９２】
さらに、本発明の種々の実施例が説明されたが、上記説明された内容は、ただ一部の実施例のみを含むものと理解しなければならない。したがって、本発明は、前述した説明により限定されない。
【産業上の利用可能性】
【００９３】
上述したように、本発明は、電池セル相互接続及び電圧センシングアセンブリ、並びにアセンブリの製造方法を提供しており、コンピュータまたはマイクロプロセッサは、電気コネクタと結合されて電池セルの作動電圧を測定することが容易であり、記憶装置に作動電圧に対応する値を容易に格納することができる。
【００９４】
したがって、コンピュータは、電気端子をモニタリングして、電気的相互接続部材及びこれに接続された電池セルと関連する作動電圧を定めることができる。
【００９５】
前記電池セル相互接続及び電圧センシングアセンブリ、及びアセンブリの製造方法は、他のアセンブリよりも実質的に利点を提供する。特に、電池セル相互接続及び電圧センシングアセンブリ、並びに方法は、液体及びその他の汚染物が回路ボードに接触することを防止するために、少なくとも一つの回路ボードのサイドに接合されているカプセル化部位を活用する。
【００９６】
前記カプセル化部位は、中央プレート内で開口を通過して堅固な機械的結束を提供する。前記カプセル化部位はまた、その弾性特性により、アセンブリを機械的衝撃（ｍｅｃｈａｎｉｃａｌ  ｓｈｏｃｋ）及び振動から保護することができる。また、前記カプセル化部位は、絶縁特性により、アセンブリに電気的絶縁を提供する。
【符号の説明】
【００９７】
１０・・・  電池モジュール
２０，２２，２４，２６，２８，３０，３２，３４，３６，３８，４０，４２，４４，４６，４８，５０，５２，５４，５６，５８・・・  電池セル
７０・・・  ハウジング
９０・・・  電圧センシングアセンブリ
１００・・・  フレーム部材
１２０，１２２，１３０，１３２，１３４，１３６，１３８，１４０・・・  電気的相互接続部材
１４６・・・  電気コネクタ
１４４・・・  回路ボード
１４８・・・  電気的カプセル化部位
１５０，１５３，１５６，１５９，１６２，１６５，１６８，１７１，１７４，１７７，１８０，１８３，１８６，１８９，１９２，１９５，１９８，２０１，２０４，２０７・・・  本体部
１５１，１５２，１５４，１５５，１５７，１５８，１６０，１６１，１６３，１６４，１６６，１６７，１６９，１７０，１７２，１７３，１７５，１７６，１７８，１７９，１８１，１８２，１８４，１８５，１８７，１８８，１９０，１９１，１９３，１９４，１９６，１９７，１９９，２００，２０２，２０３，２０５，２０６，２０８，２０９・・・  電極端子
２１６・・・  第１サイド
２１８・・・  第２サイド
２２０・・・  周壁
２４０・・・  中央プレート
２４２・・・  第１空間
２４４・・・  第２空間
２６０，２６２，２６４，２７７，２６８，２８０，２８２，２８６，２８８，２９０・・・  支持部材
３００，３０２，３０４，３０６，３０８，３１０，３１２・・・  クロス部材
３３０，３３２，３４０，３４２・・・  マウンティングタブ
３５２・・・  第１壁部位
３５４・・・  第２壁部位
３５６・・・  第３壁部位
３５８・・・  第４壁部位
３６６，３６８・・・  連結タブ
３７０，３７２，３７４，３７６，３７８，３８０，３８２，３８４，３８６，３８８，３９０，３９２，３９４，３９６・・・  開口
４１０，４１２，４１４，４１６，４１８，４２０，４２２，４２４，４２６，４２８，４３０，４３２，４３６，４３８，４４０，４４２，４４４，４４６，４４８・・・  ギャップ
４６０，４６１，４６２，４６３，４６４，４６５，４６６，４６７，４６８，４６９，４８０，４８１，４８２，４８３，４８４，４８５，４８６，４８７，４８８，４８９，４９０，４９２・・・  取付けタブ
５５０・・・  四角プレート
５５２，５５４・・・  サイド壁
５５７，５５８・・・  側縁部
５５９，５６０・・・  端縁部
５５６，６２２，６２４，６２６，６２８，６３０，６３２，６３４，６３６，６３８，６４０・・・  電圧センシングタブ
５８０，５８２・・・  開口
７００・・・  第１サイド
７０２・・・  第２サイド
７７２，７７４，７７６，７７８，７８０，７８２，７８４，７８６，７８８，７９０，７９２・・・  開口
８７２，８７４，８７６，８７８，８８０，８８２，８８４，８８６，８８８，８９０，８９２・・・  電気トレース
９７２，９７４，９７６，９７８，９８０，９８２，９８４，９８６，９８８，９９０，９９２・・・  電極端子
１０３０・・・  第１部位
１０３２・・・  第２部位
１０３４・・・  第３部位
１０３６・・・  ギャップ
１２００・・・  システム
１２２０・・・  ヒーティング−ステーキングデバイス
１２３０・・・  ソルダリング装置
１２４０・・・  射出成形機
【図１】
0006058034.tif 000002
【図２】
0006058034.tif 000003
【図３】
0006058034.tif 000004
【図４】
0006058034.tif 000005
【図５】
0006058034.tif 000006
【図６】
0006058034.tif 000007
【図７】
0006058034.tif 000008
【図８】
0006058034.tif 000009
【図９】
0006058034.tif 000010
【図１０】
0006058034.tif 000011
【図１１】
0006058034.tif 000012
【図１２】
0006058034.tif 000013
【図１３】
0006058034.tif 000014
【図１４】
0006058034.tif 000015
【図１５】
0006058034.tif 000016
【図１６】
0006058034.tif 000017
【図１７】
0006058034.tif 000018
【図１８】
0006058034.tif 000019
【図１９】
0006058034.tif 000020
【図２０】
0006058034.tif 000021